(57)【要約】本発明は、ａ）一般式（Ｉａ）又は（Ｉｂ）で表される少なくとも１つのアミン及び／又は第４級アンモニウム塩（式中、Ｒ１はＣ６−１８アルキルであり、Ｒ２はベンジル又はＣ６−１８アルキルであり、Ｒ３はＣ１−１８アルキル又は−［（ＣＨ２）２−Ｏ］ｎＲ６（ｎ＝１−２０）であり、Ｒ４及びＲ５は各々独立してＣ１−４アルキルであり、Ｒ６は水素又は、任意に置換されたフェニルであり、Ａ−は無機酸又は有機酸の一価のアニオン又は多価のアニオンの当量である。）と、ｂ）式（ＩＩ）で表される少なくとも１つのグアニジニウム塩（式中、Ｘ−は無機酸又は有機酸の一価のアニオン又は多価のアニオンの当量である。）とを、２０：１乃至１：２０（（Ｉ）：（ＩＩ））の質量比において含有する消毒剤用組成物に関する。本発明に係わる組成物は、ごく低量の使用濃度においてさえ優れた殺菌作用及び特に殺真菌作用を有することを特徴とし、消毒剤としてもまた防腐剤としても好適に使用し得る。
2004534718.tif 000002
【特許請求の範囲】
【請求項１】
ａ）以下の一般式で表される少なくとも１つのアミン及び／又は第４級アンモニウム塩：
【化１】
2004534718.tif 000006
（式中、Ｒ１はＣ６−１８アルキルであり、Ｒ２はベンジル又はＣ６−１８アルキルであり、Ｒ３はＣ１−１８アルキル又は−［（ＣＨ２）２−Ｏ］ｎＲ６（ｎ＝１−２０）であり、Ｒ４及びＲ５は各々独立してＣ１−４アルキルであり、Ｒ６は水素又は、任意に置換されたフェニルであり、Ａ−は無機酸又は有機酸の一価のアニオン又は多価のアニオンの当量である。）と、
ｂ）以下の一般式で表される少なくとも１つのグアニジニウム塩：
【化２】
2004534718.tif 000007
（式中、Ｘ−は無機酸又は有機酸の一価のアニオン又は多価のアニオンの当量である。）とを、
２０：１乃至１：２０（（Ｉ）：（ＩＩ））の質量比で含有する消毒剤用組成物。
【請求項２】
前記アミン及び／又は第４級アンモニウム塩が、Ｎ，Ｎ−ビス（３−アミノプロピル）ドデシルアミン、Ｎ，Ｎ−ビス（３−アミノプロピル）オクチルアミン、ジデシル−ジメチルアンモニウム塩、ジオクチル−ジメチルアンモニウム塩、オクチル−デシル−ジメチルアンモニウム塩、ジココナットアルキル−ジメチルアンモニウム塩、ココナットアルキル−ジメチル−ポリ（オキシエチル）アンモニウム塩、ジココナットアルキル−メチル−ポリ（オキシエチル）アンモニウム塩、デシル−ジメチル−ポリ（オキシエチル）アンモニウム塩、ジデシル−メチル−ポリ（オキシエチル）アンモニウム塩、オクチル−ジメチル−ポリ（オキシエチル）アンモニウム塩、ジオクチル−ジメチル−ポリ（オキシエチル）アンモニウム塩、ココナットアルキル−ジメチル−ベンジルアンモニウム塩、ベンジル−ドデシル−ジメチルアンモニウム塩及びベンジル−ジメチル−ポリ（オキシエチル）アンモニウム塩、およびこれらの化合物の混合物からなる群から選択されることを特徴とする請求項１に記載の消毒剤用組成物。
【請求項３】
Ｘ−が塩化物、臭化物、ロダン化物、硝酸塩、硫酸水素塩、硫酸塩、燐酸二水素塩、燐酸一水素塩、燐酸塩、炭酸塩及び酢酸塩からなる群から選択されることを特徴とする請求項１又は２に記載の消毒剤用組成物。
【請求項４】
（Ｉ）：（ＩＩ）で表される前記質量比が、１：５〜５：１であることを特徴とする請求項１乃至３のいずれか１項に記載の消毒剤用組成物。
【請求項５】
溶剤として水を含むことを特徴とする請求項１乃至４のいずれか１項に記載の消毒剤用組成物。
【請求項６】
追加的に、有機溶剤、界面活性剤、錯化剤、臭感物質及び染料からなる群から選択される１つ又は複数の助剤を含むことを特徴とする請求項１乃至５のいずれか１項に記載の消毒剤用組成物。
【請求項７】
表面及び器具を消毒するための、請求項１乃至６のいずれか１項に記載の消毒剤用組成物の使用。
【請求項８】
洗濯物を消毒するための、請求項１乃至６のいずれか１項に記載の消毒剤用組成物の使用。
【請求項９】
手を消毒するための、請求項１乃至６のいずれか１項に記載の消毒剤用組成物の使用。
【請求項１０】
液体薬品で洗い流すトイレットにおける、請求項１乃至６のいずれか１項に記載の消毒剤用組成物の使用。
【請求項１１】
工業用液体用の防腐剤としての、請求項１乃至６のいずれか１項に記載の消毒剤用組成物の使用。
【請求項１２】
構造材料用の防腐剤としての、請求項１乃至６のいずれか１項に記載の消毒剤用組成物の使用。
【発明の詳細な説明】
【０００１】
本発明は、アミン及び／又は第４級アンモニウム塩をベースにした相乗の消毒剤用組成物に関する。
【０００２】
アミン及び／又は第４級アンモニウム塩をベースにした消毒剤用及び防腐剤用組成物はその多くが知られている。しかし、アミン及び／又は第４級アンモニウム塩は、一般的に、特に高い希釈においては、例えばアスペルギルス・ニゲルのような菌類に対する作用が満足いくものとはいえない。
【０００３】
従って、本発明の課題は、高い希釈においても菌類に対して優れた作用を有するアミン及び／又は第４級アンモニウム塩をベースにした消毒剤用組成物を提供することである。
【０００４】
上記課題は、本発明に基づき、請求項１に記載の消毒剤用組成物によって解決される。
【０００５】
驚いたことには、以下の一般式で表される少なくとも１つのアミン及び／又は第４級アンモニウム塩：
【化３】
2004534718.tif 000003
（式中、Ｒ１はＣ６−１８アルキルであり、Ｒ２はベンジル又はＣ６−１８アルキルであり、Ｒ３はＣ１−１８アルキル又は−［（ＣＨ２）２−Ｏ］ｎＲ６（ｎ＝１−２０）であり、Ｒ４及びＲ５は各々独立してＣ１−４アルキルであり、Ｒ６は水素又は、任意に置換されたフェニルであり、Ａ−は無機酸又は有機酸の一価のアニオン又は多価のアニオンの当量である。）は、
以下の一般式で表される少なくとも１つのグアニジニウム塩：
【化４】
2004534718.tif 000004
（式中、Ｘ−は無機酸又は有機酸の一価のアニオン又は多価のアニオンの当量である。）と、２０：１乃至１：２０（（Ｉ）：（ＩＩ））の質量比において混合することにより、優れた殺真菌作用を得ることが見出された。
【０００６】
アルキルは、本明細書において、常に、前記炭素数を有する線状の又は枝分かれしたアルキル基を表し、好ましくは線状のアルキル基であり、特に好ましくは偶数の炭素原子を有するアルキル基を表し得る。特に、アルキルは、天然原料から由来する同族体、例えば「ココナットアルキル」でもあり得る。
【０００７】
置換されたフェニルは、特に、１つ又は複数のＣ１−８アルキル基及び／又は塩化物原子で置換されたフェニル基を意味し得る。
【０００８】
アニオンＡ−は、基本的には、無機の又は有機のすべてのアニオンであるが、特にハロゲン化物、例えば塩化物又は臭化物、あるいは低石炭酸、例えば酢酸塩、プロピオン酸塩又は乳酸塩のアニオンが適切である。
【０００９】
アミン及び／又は第４級アンモニウム塩（Ｉａ／Ｉｂ）は、好ましくは、Ｎ，Ｎ−ビス（３−アミノプロピル）ドデシルアミン、Ｎ，Ｎ−ビス（３−アミノプロピル）オクチルアミン、ジデシル−ジメチルアンモニウム塩、ジオクチル−ジメチルアンモニウム塩、オクチル−デシル−ジメチルアンモニウム塩、ジココナットアルキル−ジメチルアンモニウム塩、ココナットアルキル−ジメチル−ポリ（オキシエチル）アンモニウム塩、ジココナットアルキル−メチル−ポリ（オキシエチル）アンモニウム塩、デシル−ジメチル−ポリ（オキシエチル）アンモニウム塩、ジデシル−メチル−ポリ（オキシエチル）アンモニウム塩、オクチル−ジメチル−ポリ（オキシエチル）アンモニウム塩、ジオクチル−メチル−ポリ（オキシエチル）アンモニウム塩、ココナットアルキル−ジメチル−ベンジル−アンモニウム塩、ベンジル−ドデシル−ジメチルアンモニウム塩又はベンジル−ジメチル−ポリ（オキシエチル）アンモニウム塩、あるいはこれらの化合物の２つ又はそれ以上の化合物の混合物である。
【００１０】
グアニジニウム塩のアニオンＸ−が、塩化物、臭化物、ロダン化物、硝酸塩、硫酸水素塩、硫酸塩、燐酸二水素塩、燐酸一水素塩、燐酸塩、炭酸塩又は酢酸塩であることは好ましい。このような塩の２つ又はそれ以上の塩の混合物を用いることも可能である。
【００１１】
特に良好な結果は、炭酸グアニジニウム［（ＣＨ６Ｎ３）２ＣＯ３］によって得られた。
【００１２】
アミン（Ｉａ）及び／又は第４級アンモニウム塩（Ｉｂ）対グアニジニウム塩（ＩＩ）の質量比は、１：５乃至５：１の範囲にあることが好ましい。
【００１３】
本発明に係わる消毒剤用組成物は、溶剤として好ましくは水のみを含有し、場合により有機溶剤との組合せにおいて水を含有する。
【００１４】
本発明に係わる消毒剤用組成物が、有機溶剤、界面活性剤、錯化剤、臭感物質及び染料からなる群から選択される１つ又は複数の助剤を含むことは好ましい。
【００１５】
本発明に係わる消毒剤用組成物の好ましい適用分野は表面の消毒及び器具の消毒である。他の好ましい適用分野は洗濯物の消毒及び手の消毒である。
【００１６】
本発明に係わる消毒剤用組成物は、例えば、航空機及び車両の内部に設けられるような、液体薬品で洗い流すトイレット（ｃｈｅｍｉｓｃｈｅ Ｔｏｉｌｅｔｔｅｎ）での使用に非常に適切である。
【００１７】
他の好ましい使用分野は、工業用液体、例えば、製紙の際の水の循環、冷却水、コンベヤベルト用潤滑剤又金属加工の際の冷却用潤滑剤の保存である。
【００１８】
最後に、同様に好ましい適用は、有機的な又は有機体により損なわれる構造材料、例えば木材のための防腐剤としての使用である。
【００１９】
【実施例】
以下の例は本発明の実施の形態を明示している。但し、それらの例は、記載された実施の形態の限定とは見做されない。量のすべての表示は、他の表示がない限り、質量％である。試験用病原菌としては、常に、アスペルギルス・ニゲルＡＴＣＣ１６４０４を用いた。
【００２０】
例１
【００２１】
【００２２】
消毒作用を有する洗浄剤用の組成物（濃縮物）を、
５．０％のジデシルジメチル塩化アンモニウム（５０％の溶液）、
２．０％のＮ，Ｎ−ビス（３−アミノプロピル）ドデシルアミン、
５．０％の炭酸グアニジニウム、
５．０％のゲナポル（Ｒ）Ｔ２５０（獣脂アルコールポリグリコールエーテル，２５ｍｏｌの酸化エチレン）、
０．５％のメタケイ酸ナトリウム、
０．２５％の炭酸ナトリウム、
３．０％のエチレンジアミン四酢酸−四ナトリウム塩（４０％の溶液）、
１００％になる量の水から調製した。
【００２２】
作用を、希釈度（１部の濃縮物，９９部の水）において、２０℃及び１５分の接触時間で測定した。試験用病原菌はあった。病原菌数の減少の常用対数は４．０であった。
【００２３】
比較例１
炭酸グアニジニウムを同量の水で置き換えた以外は例１と同様の条件で行なった。同じ試験条件下では、組成物は実際効果がなかった。
【００２４】
例２
消毒剤用組成物（濃縮物）を、
４．９％のＮ，Ｎ−ビス（３−アミノプロピル）ドデシルアミン、
４．０％の炭酸グアニジニウム、
２．０％のゲナポル（Ｒ）Ｔ２５０（獣脂アルコールポリグリコールエーテル，２５ｍｏｌの酸化エチレン）、
５．０％のホスタプール（Ｒ）ＳＡＳ３０（Ｃ１３−１７第２ｎ−アルカンスルホン酸，ナトリウム塩）
２．０％のエチレンジアミン四酢酸−四ナトリウム塩（４０％の溶液）、
０．７％のエチレンジアミン四酢酸、
１００％になる量の水から調製した。
【００２５】
作用を、希釈度（１部の濃縮物，９９部の水）において、２０℃及び１５分の接触時間で測定した。病原菌数の減少の常用対数は４．１であった。
【００２６】
例３乃至１５
水溶液を０．５％のグアニジニウム塩（ＩＩ）及び０．２５％のアミン及び／又は第４級アンモニウム塩（Ｉａ／Ｉｂ）から調製し、ＣＥＮ１２７５に記載の方法で試験した。結果を表１に示す。
【００２７】
比較のために、表１に挙げられたすべての化合物を０．５％の溶液中の個別物質として試験した。これらの化合物の何れも顕著な殺真菌作用を有しない（ｌｏｇ  病原菌の減少＜２）。
【００２８】
【表１】
2004534718.tif 000005
【国際公開パンフレット】
2004534718.tif 000008
2004534718.tif 000009
2004534718.tif 000010
2004534718.tif 000011
2004534718.tif 000012
2004534718.tif 000013
2004534718.tif 000014
2004534718.tif 000015
2004534718.tif 000016
2004534718.tif 000017
2004534718.tif 000018
【国際調査報告】
2004534718.tif 000019
2004534718.tif 000020
2004534718.tif 000021
2004534718.tif 000022
2004534718.tif 000023
2004534718.tif 000024